(57)【要約】【課題】ネットワークを経由してビデオムービーなどのコンテンツを送信し、受信側で受信及び再生を簡単な操作で行うことが出来るデータ送受信装置を提供する。【解決手段】データ送信装置１００からデータ受信装置２００にコンテンツ情報を送信し、データ受信装置２００においてコンテンツの記録が完了したとき、コンテンツ受信表示兼操作部２０５に記録完了の旨が表示される。記録完了の旨が表示されたコンテンツ受信表示兼操作部２０５は操作ボタンとなっており、その操作ボタンを押すだけで、受信したコンテンツの再生が開始する。これによりコンテンツの受信および再生を簡易な操作で行うことができる。【選択図】  図１
2004364087.tif 000002
【特許請求の範囲】
【請求項１】
コンテンツ情報を受信する受信手段と、
前記コンテンツ情報を記録する記録手段と、
前記記録手段において前記コンテンツ情報の記録が完了したことを表示する表示手段と、
コンテンツ情報の再生制御を行う操作手段とを備えており、
前記表示手段に前記コンテンツ情報の記録完了の表示がなされているとき、前記操作手段が操作されると前記コンテンツ情報の再生制御が行われることを特徴とするデータ受信再生装置。
【請求項２】
受信手段は、コンテンツ情報とともに前記コンテンツ情報を配信した配信元の情報を受信し、
表示手段は、前記配信元の情報と関連付けて前記コンテンツ情報の記録完了を表示し、
前記表示手段に前記コンテンツ情報の記録完了の表示がなされているとき、前記操作手段が操作されると前記配信元から配信されたコンテンツ情報の再生制御が行われることを特徴とする請求項１記載のデータ受信再生装置。
【請求項３】
コンテンツ情報は、保存マーク設定情報を有しており、
記録手段は、前記記録手段の空き容量が、受信手段で受信したコンテンツ情報のデータサイズよりも小さいとき、すでに記録されたコンテンツ情報の中から、前記保存マーク設定情報が削除可能となっているコンテンツ情報を、前記記録手段の空き容量が前記コンテンツ情報のデータサイズよりも大きくなるまで削除してから、前記受信手段で受信したコンテンツ情報を記録することを特徴とする請求項１記載のデータ受信再生装置。
【請求項４】
コンテンツ情報とともに、保存マーク設定情報を記録手段に記録する外部機器に対してコンテンツ情報を送信するデータ送信装置であって、
コンテンツ情報を、前記外部機器に送信する送信手段と、
前記外部機器の記録手段の空き容量を検出し、前記空き容量が、送信するコンテンツ情報のデータサイズよりも小さいとき、すでに外部機器に記録されたコンテンツ情報の中から、前記保存マーク設定が削除可能となっているコンテンツ情報を、前記空き容量が前記コンテンツ情報のデータサイズよりも大きくなるまで削除してから、前記コンテンツ情報を送信することを特徴とするデータ送信装置。
【請求項５】
コンテンツ情報と前記コンテンツ情報の配信元の情報とを受信する第１のステップと、
前記コンテンツ情報を記録する第２のステップと、
前記第２のステップにおいて前記コンテンツ情報の記録が完了したとき、前記配信元の情報と関連付けて記録完了の表示を行う第３のステップと、
前記記録完了の表示がなされているとき再生制御の操作がなされると、前記配信元から配信されたコンテンツ情報の再生制御を行う第４のステップとを有することを特徴とするデータ受信再生方法。
【請求項６】
コンテンツ情報は、保存マーク設定情報を有しており、
第２のステップにおいて、コンテンツ情報を記録する空き容量が不足するとき、すでに記録されたコンテンツ情報の中から、前記保存マーク設定情報が削除可能となっているコンテンツ情報を、前記空き容量が前記記録するコンテンツ情報のデータサイズよりも大きくなるまで削除する第５のステップをさらに有することを特徴とする請求項５記載のデータ受信再生方法。
【請求項７】
請求項５または請求項６いずれかに記載のステップをコンピュータに実行させるためのプログラム。
【請求項８】
請求項５または請求項６いずれかに記載のステップをコンピュータに実行させるためのプログラムを格納する記録媒体。
【発明の詳細な説明】
【０００１】
【発明の属する技術分野】
本発明は、ネットワークを経由してコンテンツの受信及びコンテンツ再生を簡単な操作で行うことが出来るデータ送信装置、データ受信再生装置および方法およびプログラムに関するものである。
【０００２】
【従来の技術】
ネットワークを経由して映像、音声及びデータといったコンテンツを受信して再生することは一般的に行われている。例えば、パソコンを使ってネットワーク経由で外部サーバにアクセスしてデータを受信後、ファイル選択してメディアプレイヤーなどで再生させるといった方法である。
【０００３】
一方、ネットワークを経由してサーバと録画装置によるコンテンツのリモート予約をする方法が開示されている（例えば、特許文献１参照）。
【０００４】
【特許文献１】
特開２００２−１５８９５１号公報
【０００５】
【発明が解決しようとする課題】
しかしながら、上述のようなデータ送受信装置においては、送信者が外部サーバに送信したいコンテンツをアップロードした後、受信者が前記外部サーバにアクセスしてダウンロードする操作が必要であり、また、受信側のデータ受信可能容量が不足しているときは、受信側にて都度すでに受信済みのデータを手動で削除する操作が必要であるなど、受信側の操作に不慣れなユーザにとっては、容易にコンテンツ再生を楽しむことができないという課題があった。また、携帯電話を使っての静止画などのメール転送機能も一般的であるが、アップロードできるコンテンツ時間やクオリティーに制限があり、ビデオムービーで子供を撮影したコンテンツを親に見てもらいたいといったニーズを簡単に実現する方法が無いという課題があった。
【０００６】
本発明は、上記課題を考慮し、コンテンツの送信、受信及びコンテンツ再生を簡単な操作で行うことが出来るデータ送受信装置、データ送受信装置の制御方法、プログラムを提供することを目的とするものである。
【０００７】
【課題を解決するための手段】
上述した課題を解決するために、第１の本発明は、コンテンツ情報を受信する受信手段と、コンテンツ情報を記録する記録手段と、記録手段においてコンテンツ情報の記録が完了したことを表示する表示手段と、コンテンツ情報の再生制御を行う操作手段とを備えており、表示手段にコンテンツ情報の記録完了の表示がなされているとき、操作手段が操作されると受信したコンテンツ情報の再生制御が行われるデータ受信再生装置である。
【０００８】
第２の本発明は、受信手段は、コンテンツ情報とともにコンテンツ情報を配信した配信元の情報を受信し、表示手段は、配信元の情報と関連付けてコンテンツ情報の記録完了を表示し、表示手段にコンテンツ情報の記録完了の表示がなされているとき、操作手段が操作されると配信されたコンテンツ情報の再生制御が行われるデータ受信再生装置である。
【０００９】
第３の本発明は、コンテンツ情報は、保存マーク設定情報を有しており、記録手段は、記録手段の空き容量が、受信手段で受信したコンテンツ情報のデータサイズよりも小さいとき、すでに記録されたコンテンツ情報の中から、保存マーク設定情報が削除可能となっているコンテンツ情報を、記録手段の空き容量がコンテンツ情報のデータサイズよりも大きくなるまで削除してから、受信手段で受信したコンテンツ情報を記録するデータ受信再生装置である。
【００１０】
第４の本発明は、コンテンツ情報とともに、保存マーク設定情報を記録手段に記録する外部機器に対してコンテンツ情報を送信するデータ送信装置であって、コンテンツ情報を、外部機器に送信する送信手段と、外部機器の記録手段の空き容量を検出し、空き容量が、送信するコンテンツ情報のデータサイズよりも小さいとき、すでに外部機器に記録されたコンテンツ情報の中から、保存マーク設定が削除可能となっているコンテンツ情報を、空き容量がコンテンツ情報のデータサイズよりも大きくなるまで削除してから、コンテンツ情報を送信することを特徴とするデータ送信装置である。
【００１１】
第５の本発明は、コンテンツ情報とこのコンテンツ情報の配信元の情報とを受信する第１のステップと、コンテンツ情報を記録する第２のステップと、第２のステップにおいてコンテンツ情報の記録が完了したとき、配信元の情報と関連付けて記録完了の表示を行う第３のステップと、記録完了の表示がなされているとき再生制御の操作がなされると、配信されたコンテンツ情報の再生制御を行う第４のステップとを有するデータ受信再生方法である。
【００１２】
第６の本発明は、コンテンツ情報は、保存マーク設定情報を有しており、第２のステップにおいて、コンテンツ情報を記録する空き容量が不足するとき、すでに記録されたコンテンツ情報の中から、保存マーク設定情報が削除可能となっているコンテンツ情報を、空き容量が記録するコンテンツ情報のデータサイズよりも大きくなるまで削除する第５のステップをさらに有するデータ受信再生方法である。
【００１３】
第７の本発明は、第５または第６の本発明が有するステップをコンピュータに実行させるためのプログラムである。
【００１４】
第８の本発明は、第５または第６の本発明が有するステップをコンピュータに実行させるためのプログラムを格納する記録媒体である。
【００１５】
【発明の実施の形態】
以下に、本発明の実施の形態を図面を参照して説明する。
【００１６】
図１は、本発明の実施の形態１によるデータ送受信装置の構成を説明するための図である。以下、図１を用いて上記データ送受信装置の構成を説明する。
【００１７】
１００はデータ送信装置であり、２００はデータ受信再生装置であり、３００はネットワークであり、４００はデータ送信装置（１００）へオリジナルコンテンツを提供するコンテンツ提供装置であり、５００はデータ受信再生装置（２００）と接続するためのテレビである。
【００１８】
１０１から１０７はデータ送信装置（１００）内部の各手段であり、１０１はハードディスク装置であり、１０２はハードディスク装置（１０１）にデータを記録再生するためのハードディスク制御手段であり、１０３はコンテンツ提供装置（４００）からコンテンツを入力するコンテンツ入力手段である。１０４はハードディスク装置（１０１）に記録されているオリジナルコンテンツ管理情報（例えば、コンテンツの作成者名、作成日、コンテンツ時間、作成場所、メッセージ、データサイズ、受信先の送信者専用コンテンツフォルダー指定情報、コンテンツ保存マーク設定情報）を管理するコンテンツ管理手段である。１０５はオリジナルコンテンツを選択して送信するためのコンテンツ送信制御手段であり、１０６はデータ受信再生装置（２００）とネットワーク経由でデータを送受信するためのデータ送受信手段であり、１０７はハードディスク装置（１０１）に記録されたデータやユーザ操作ガイドなどを表示するための表示手段である。１０８はハードディスク制御手段（１０２）やコンテンツ入力手段（１０３）やコンテンツ管理手段（１０４）やコンテンツ送信制御手段（１０５）やデータ送受信手段（１０６）や表示手段（１０７）を制御するためのシステム制御手段である。
【００１９】
２０１から２０７はデータ受信再生装置（２００）内部の各手段であり、２０１はハードディスク装置であり、２０２はハードディスク装置（２０１）にデータを記録再生するためのハードディスク制御手段である。２０３はデータ送信装置（１００）とネットワーク経由でデータを送受信するためのデータ送受信手段であり、２０４はデータ送信装置（１００）から受信したコンテンツを管理するコンテンツ受信制御手段である。２０５はデータ送信装置（１００）からコンテンツを受信完了したことの表示かつコンテンツ操作（例えば、再生、停止、保存マーク設定）のためのキー操作可能なコンテンツ受信表示兼操作部（例えば、自照式ＬＥＤ付き操作釦）であり、２０６はコンテンツの受信完了通知や受信コンテンツ管理情報やユーザ操作ガイドなどを表示するための表示手段である。２０７はハードディスク制御手段（２０２）や、データ送受信手段（２０３）やコンテンツ受信制御管理手段（２０４）やコンテンツ受信表示兼操作部（２０５）や表示手段（２０６）を制御するためのシステム制御手段である。
【００２０】
図２〜図６は図１で示されたデータ送受信装置を実現するためのソフトウェアのフローチャートである。図２はデータ送信装置（１００）にオリジナルコンテンツを入力するための入力記録制御動作のフローチャートである。図３はデータ送信装置（１００）からコンテンツを送信するための送信制御動作のフローチャートである。図４及び図５はデータ受信再生装置（２００）においてデータ送信装置（１００）から送信されるコンテンツを受信するための受信制御動作のフローチャートである。図６はコンテンツ操作（例えば、再生、停止、保存マーク解除）の制御動作のフローチャートである。
【００２１】
次に、図１〜図６を用いて、本実施の形態１によるデータ送受信装置の動作について説明する。
【００２２】
まず、図２を用いてデータ送信装置（１００）にオリジナルコンテンツを入力するための入力制御動作について説明する。オリジナルコンテンツ入力処理が開始すると、コンテンツ入力手段（１０３）においてコンテンツ提供装置（４００）（例えば、ビデオムービーカメラ）で作成したオリジナルコンテンツが入力され、ハードディスク制御手段（１０２）の制御により、入力されたオリジナルコンテンツがハードディスク装置（１０１）へ記録される（ステップ２ａ）。
【００２３】
次に、コンテンツ管理手段（１０４）において、ハードディスク装置（１０１）に記録されたオリジナルコンテンツについてオリジナルコンテンツ管理情報（例えば、コンテンツの作成者名、作成日、コンテンツ時間、作成場所、メッセージ、データサイズ、受信先の送信者専用コンテンツフォルダー指定情報）をオリジナルコンテンツ管理情報として登録し、ハードディスク装置（１０１）へ保存する（ステップ２ｂ）。以上が入力制御動作である。
【００２４】
次に図３を用いてコンテンツを送信するための送信制御動作について説明する。コンテンツ送信制御処理が開始すると、まずコンテンツ送信制御手段（１０５）において、送信者がオリジナルコンテンツ管理情報を用いて、送信したいコンテンツの選択を行う（ステップ３ａ）。次に、受信先すなわちデータ受信再生装置（２００）と通信可能かどうかを判断するために確認コマンドを送信コンテンツ管理手段（１０５）からデータ送受信手段（１０６）を通じて送信する（ステップ３ｂ）。そして通信可能と判断した場合、受信先のコンテンツ管理情報（例えば、データ送信装置から送出されたオリジナルコンテンツ管理情報であるコンテンツの作成者名、作成日、コンテンツ時間、作成場所、メッセージ、データサイズ、及び受信先での送信者専用コンテンツフォルダー作成済み情報、及び受信側で最終設定管理されている送信したコンテンツの保存マーク設定情報、及び受信先のハードディスク装置（２０１）のコンテンツ受信可能データ空き容量等）をデータ受信再生装置（２００）から取得する（ステップ３ｃ）。
【００２５】
そして送信者専用コンテンツフォルダー作成済み情報を解析して、受信先のハードディスク装置（２０１）内にすでにオリジナルコンテンツ管理情報内の送信者専用コンテンツフォルダー指定情報と一致する送信者専用コンテンツフォルダーが作成されているかどうかの判断を行う（図３のステップ３ｄ）。その結果、作成されていなければ送信コンテンツ管理手段（１０５）からデータ送受信手段（１０６）を通じて受信先のハードディスク装置（２０１）内に送信者専用コンテンツフォルダーの作成を行う（ステップ３ｅ）。
【００２６】
続いて受信先のハードディスク装置（２０１）内のコンテンツ受信可能データ空き容量の確認を行う（ステップ３ｆ）。そして空き容量が、今回送信するコンテンツのデータサイズに満たない場合は、取得した受信先のコンテンツ管理情報内のコンテンツの保存マーク設定情報を用いて、受信先のハードディスク装置（２０１）内に削除できるコンテンツが存在するかどうかを判断する（ステップ３ｇ）。コンテンツの保存マーク設定情報については後述する。ここで削除できるコンテンツが存在する場合にはコンテンツ送信制御手段（１０５）からデータ送受信手段（１０６）を通じて受信先のハードディスク装置（２０１）内のコンテンツの削除を行う（ステップ３ｈ）。そして再度受信先のハードディスク装置（２０１）内のコンテンツ受信可能データ空き容量の確認を行い（ステップ３ｉ）、空き容量が、今回送信するコンテンツのデータサイズを満たさない場合は、ステップ３ｇ及びステップ３ｈの処理を繰り返す。そして空き容量がコンテンツのデータサイズよりも大きくなったら、送信するオリジナルコンテンツ管理情報のコンテンツ保存マーク設定情報を保存モードに設定することで（ステップ３ｋ）受信先の受信コンテンツをデータ送信装置（１００）から勝手に削除できないようにし、送信したいオリジナルコンテンツ及びオリジナルコンテンツ管理情報の送信処理を行う（ステップ３ｊ）。
【００２７】
一方、ステップ３ｂ及びステップ３ｇの結果が偽の場合はコンテンツの送信ができないと判断して、コンテンツ送信制御手段（１０５）から表示手段（１０７）を通じて送信不可警告メッセージ表示処理を行う（ステップ３ｌ）。
【００２８】
次に、図４を用いてデータ受信再生装置（２００）におけるコンテンツの受信制御動作について説明する。コンテンツ受信制御処理が開始すると、まずコンテンツ受信処理（ステップ４ａ）が実行される。ここでは、ハードディスク制御手段（２０２）において、データ送信装置（１００）から送信されるコンテンツの受信制御及びデータ送受信手段（２０３）において受信したコンテンツデータをハードディスク装置（２０１）へ記録する処理が行われる。
【００２９】
なお、受信先コンテンツが削除可能であるか否かの判断およびコンテンツの削除処理は、データ送信装置１００の指示に基づいて行ってもよいし、コンテンツのデータサイズを受け取ったデータ受信装置側で行ってもよい。
【００３０】
次にコンテンツ受信制御手段（２０４）において、すでに受信済みのコンテンツが操作中であるかどうかの判断を行う（ステップ４ｂ）。コンテンツ操作中とは、例えばテレビ（５００）でコンテンツを視聴している状態等、ユーザがデータ受信再生装置（２００）を操作あるいは視聴している状態にあることをいう。コンテンツ操作中で無い場合は、今回受信しているコンテンツの受信完了チェックを行う（ステップ４ｃ）。そしてコンテンツの受信が完了した場合は、表示手段（２０６）においてテレビ（５００）へ出力している信号に新たにコンテンツ受信があったことを示す通知情報及び受信したオリジナルコンテンツ管理情報（例えば、コンテンツの作成者名、作成日、コンテンツ時間、作成場所、メッセージ、データサイズ、受信先の送信者専用コンテンツフォルダー指定情報、コンテンツ保存マーク設定情報）の表示を行うとともに（ステップ４ｄ）、コンテンツ受信表示兼操作部（２０５）においてコンテンツ受信完了表示処理を行う（ステップ４ｅ）。コンテンツ受信完了表示処理については後述する。
【００３１】
一方、コンテンツ受信制御手段（２０４）におけるコンテンツ操作中か否かの判断において（ステップ４ｂ）、コンテンツが操作中であると判断された場合には、ユーザがコンテンツを視聴している最中である可能性が高いため、受信完了メッセージの表示は行わない。
【００３２】
次に図５を用いてコンテンツ受信完了表示処理（図４のステップ４ｅ）の制御動作についてより詳細に説明する。コンテンツの受信が完了すると、コンテンツ受信表示兼操作部（２０５）においてコンテンツ受信完了の旨が表示されるが、新たにコンテンツを受信した場合に、ネットワーク内に複数存在するどのデータ送信装置から受信したコンテンツかを判断することができればより便利である。ここではこのような機能を実現するために、例えば複数のデータ送信装置それぞれに対応してコンテンツ受信表示兼操作部を複数備える場合について説明する。
【００３３】
コンテンツ受信完了表示処理が開始すると、受信したオリジナルコンテンツ管理情報に含まれる受信先の送信者専用コンテンツフォルダー指定情報の確認を行う（ステップ５ａ）。送信者専用コンテンツフォルダーとは、受信先のハードディスク上に、データ送信装置ごとに確保されるフォルダーであり、例えばデータ送信装置のＩＤが設定されている。そして例えば図７に示すようにフォルダーごとにコンテンツ受信表示兼操作部（２０５）が用意されており、対応するコンテンツ受信表示兼操作部において表示部の表示（例えば、ＬＥＤを点灯）を行う。
【００３４】
図７において、７００は送信者専用コンテンツフォルダー指定情報がコンテンツフォルダー＃１（実際にはデータ送信装置のＩＤや名称等で表現される）である場合のコンテンツ受信表示兼操作部であり、７０１および７０２はそれぞれコンテンツフォルダー＃２、＃ｎに対応するコンテンツ受信表示兼操作部である。７０３〜７０７はそれぞれ巻き戻しボタン、再生ボタン、早送りボタン、停止ボタン、コンテンツ保存マークボタンである。７０８はＬＥＤであり、７０４〜７０７にも同様のＬＥＤが備えられている。
【００３５】
ここで受信したオリジナルコンテンツ管理情報に含まれる送信者専用コンテンツフォルダー指定情報がコンテンツフォルダー＃１であった場合、コンテンツの受信完了と同時にコンテンツ受信表示兼操作部７００のＬＥＤ７０８が点灯する。同様に、送信者専用コンテンツフォルダー指定情報がコンテンツフォルダー＃２もしくは＃ｎの場合には、対応するコンテンツ受信表示兼操作部７０１もしくは７０２のＬＥＤが点灯する。そして点灯した操作ボタンを押すことにより、所望の操作を行うことができる。これにより、コンテンツがどのデータ送信装置から送信されたものであるかを一目瞭然に知ることができ、さらに対応する操作ボタンを押すことにより、受信完了したコンテンツの再生等の操作を行うことができる。
【００３６】
なお、コンテンツ受信表示兼操作部は、図８に示すようなものでもよい。図８において図７と同じ符号を有するものは同じ機能を有するので詳細な説明は省略する。８００はコンテンツ受信表示兼操作部で、８０１は液晶表示部である。図７との違いは、操作ボタン７０３〜７０７はそれぞれ一種類ずつしか備えておらず、送信者専用コンテンツフォルダー指定情報が液晶表示部に表示されることにより、どのデータ送信装置から送信されたコンテンツであるのかを知ることができる。例えば送信者専用コンテンツフォルダー指定情報がコンテンツフォルダー＃２であるときには、液晶表示部８０１にコンテンツフォルダー＃２と表示され、ＬＥＤが点灯する。これにより、図７における動作と同様に、コンテンツがどのデータ送信装置から送信されたものであるかを一目瞭然に知ることができ、さらに対応する操作ボタンを押すことにより、受信完了したコンテンツの再生等の操作を行うことができる。
【００３７】
なお、コンテンツ受信表示兼操作部は、図７や図８に示すものに限らず、送信者専用コンテンツフォルダー指定情報と関連付けて表示できるものであればよい。
【００３８】
ここで、保存マーク設定情報を制御するコンテンツ保存マークボタンについて説明する。コンテンツが受信された直後は保存マーク設定情報は保存モードに設定されている。ここでユーザがコンテンツを視聴し、あるいは何らかの理由により、そのコンテンツを削除しても構わないと判断した場合に、コンテンツ保存マークボタンを押すことにより、保存マーク設定情報が保存モードから削除モードへ切り替わる。そして前述の図３のステップ３ｇにおけるコンテンツ削除可能か否かの判断が、この保存マーク設定情報が保存モードであるか削除モードであるかにより行われる。
【００３９】
なおユーザは、保存マーク設定情報を保存モードから削除モードへ切り替えた後、再度コンテンツ保存マークボタンを押すことにより、保存マーク設定情報を削除モードから保存モードに切り替えることができる。
【００４０】
次に、図６を用いてデータ受信再生装置（２００）における受信したコンテンツ操作（例えば、再生、停止、保存マーク設定）の制御動作について説明する。新たにコンテンツ受信があると、点灯しているコンテンツ受信表示兼操作部（２０５）における操作要求の判断（ステップ６ａ）を行う。結果が真の場合は、すでに受信コンテンツ操作中かどうかの判断を行い（ステップ６ｂ）、結果が真の場合は、操作要求が受信コンテンツ操作終了要求かどうかの判断を行う（ステップ６ｌ）。そして結果が真なら受信コンテンツ操作中モードが解除されていることを示すための受信コンテンツ操作終了処理（例えば、受信コンテンツ操作中モードフラグ処理）を行う（ステップ６ｃ）。
【００４１】
受信コンテンツ操作終了要求かどうかの判断（ステップ６ｌ）の結果が偽ならば前記操作要求がコンテンツ再生要求判断（ステップ６ｆ）及びコンテンツ停止要求判断（ステップ６ｇ）、及びコンテンツ保存マーク解除要求判断（ステップ６ｈ）を行い、それぞれの結果が真ならば、コンテンツの再生処理（ステップ６ｋ）及び、コンテンツの再生停止処理（ステップ６ｊ）及び、コンテンツの保存マーク解除処理（ステップ６ｉ）を行う。
【００４２】
一方、操作部によるコンテンツ操作要求があるか否かの判断（ステップ６ｂ）の結果が偽の場合は、受信したコンテンツについてコンテンツ操作中モードであることを示すための設定処理（例えば、受信コンテンツ操作中モードフラグ処理）を行い（ステップ６ｄ）、表示手段（２０６）において受信したコンテンツ管理情報の表示を行い（ステップ６ｅ）、ステップ６ｆへと処理を続ける。なお、ステップ６ａの操作例としては、釦連続操作時間の違いによって判断することで実現可能である。
【００４３】
このようなデータ送信装置及びデータ受信再生装置を実際に使用する場合の例について、それぞれの装置を操作する者をユーザＡ及びユーザＢとして説明する。まずユーザＡは、１３９４端子やＵＳＢ端子をもったデータ送信装置において、送信したいオリジナルコンテンツをハードディスク装置に記録し、オリジナルコンテンツ管理情報（例えば、コンテンツの作成者名、作成日、コンテンツ時間、作成場所、メッセージ、データサイズ、受信先の送信者専用コンテンツフォルダー指定情報、コンテンツ保存マーク設定情報）を作成する。そしてオリジナルコンテンツ及びオリジナルコンテンツ管理情報の送信操作を行う。
【００４４】
この送信操作により、データ送信装置内部で自動的に、受信先であるデータ受信再生装置との通信準備及びデータ受信再生装置内部の情報である受信先のコンテンツ管理情報を受信先であるデータ受信再生装置から取得する。ここでコンテンツ管理情報とは、例えば、データ送信装置から送出されたオリジナルコンテンツ管理情報であるコンテンツの作成者名、作成日、コンテンツ時間、作成場所、メッセージ、データサイズ、及び受信先での送信者専用コンテンツフォルダー作成済み情報、及び受信側で最終設定管理されている送信したコンテンツの保存マーク設定情報、及び受信先のハードディスク装置（２０１）のコンテンツ受信可能データ空き容量等である。
【００４５】
そしてデータ受信再生装置（２００）内に送信者専用フォルダーの作成、ハードディスクの空き容量の確保を行いオリジナルコンテンツ及びオリジナルコンテンツ管理情報の送信処理を行う。送信完了すなわち、受信側でのコンテンツ受信完了になるとデータ受信再生装置（２００）において、データ送信装置（１００）と関連付けすることが可能であって、複数装着されたコンテンツ受信表示兼操作部（例えば、自照式ＬＥＤ付き操作釦）の該当する表示部に新しいコンテンツ受信があったことを示すための表示（例えば、自照式ＬＥＤ付き操作釦のＬＥＤ点灯）を行うとともに、ユーザＢがすでにデータ受信再生装置とテレビを接続して使用している場合を想定して、新しいコンテンツ受信完了通知メッセージ及び受信したオリジナルコンテンツ管理情報（例えば、コンテンツの作成者名、作成日、コンテンツ時間、作成場所、メッセージ、データサイズ、受信先の送信者専用コンテンツフォルダー指定情報、コンテンツ保存マーク設定情報）の表示をテレビ（５００）に出力することで、ユーザＢが容易に新たにコンテンツ受信があったことを判断できるようにする。ここで、テレビ（５００）への表示は、ユーザＢがテレビ（５００）を視聴中に限り表示を行うとしてもよいし、ユーザＢがテレビ（５００）を視聴していないときに限り表示をおこなうとしてもよい。前者の場合は、ユーザＢがテレビ（５００）を視聴しているので必ずメッセージを見ることができるという利点がある反面、何らかのコンテンツを視聴しているときにそのコンテンツとは無関係なメッセージが画面に表示されてしまうという欠点もある。後者の場合は、コンテンツの視聴中に突然メッセージが表示されるという事態を防止することができる反面、コンテンツ受信完了を即座に知ることができないという欠点もある。ユーザの好みに応じていずれでも選択することができる。
【００４６】
次に、ユーザＢは、受信したコンテンツの操作を行うためにコンテンツ受信表示兼操作部を押すといった簡単な操作のみでコンテンツ再生、停止、及びコンテンツ保存マーク解除を行うことが出来る。
【００４７】
以上のように、ネットワークを経由してコンテンツを簡単に送信した場合に、コンテンツの送信、コンテンツの受信判断及び操作を簡単にすることが出来、機器の操作に不慣れなユーザでも容易に受信したコンテンツを見て楽しむことができる。
【００４８】
このように、本実施の形態によれば、コンテンツの送信及び受信再生を簡単な操作で行うことができる。
【００４９】
なお、本発明のデータ送受信装置は、本実施の形態における送信コンテンツの記録時に他の機器と接続して記録する場合に限らず、データ送信装置内部にコンテンツを受信作成する機能（例えば、カメラ入力部やチューナー受信装置）を有するものなど、要するに本発明のデータ送受信装置は、送信可能な映像及び音声及びデータの少なくとも一つ以上を記録するものでありさえすればよい。
【００５０】
また、データ受信再生装置における新しいコンテンツの受信通知表示及び受信コンテンツの操作をデータ受信再生装置の制御が可能なリモコンとの間で無線信号を用いて行うことでもよい。
【００５１】
また、データ受信再生装置に接続されているテレビがネットワーク接続可能な構成をとる場合、データ受信再生装置におけるコンテンツ受信通知情報及び受信したオリジナルコンテンツ管理情報（例えば、コンテンツの作成者名、作成日、コンテンツ時間、作成場所、メッセージ、データサイズ、受信先の送信者専用コンテンツフォルダー指定情報、コンテンツ保存マーク設定情報）の表示をネットワーク経由で通信してテレビへ表示させることでもよい。
【００５２】
尚、本発明のプログラムは、上述した本発明のデータ送受信装置の制御方法の全部又は一部のステップ（又は、工程、動作、作用等）の動作をコンピュータにより実行させるためのプログラムであって、コンピュータと協働して動作するプログラムである。
【００５３】
又、本発明の上記「手段（又は、装置、素子等）の機能」とは、手段の全部又は一部の機能を意味し、本発明の上記「ステップ（又は、工程、動作、作用等）の動作」とは、ステップの全部又は一部の動作を意味する。
【００５４】
【発明の効果】
以上説明したところから明らかなように、本発明は、コンテンツの送信及び受信再生を簡単な操作で行うことが出来るデータ送受信装置、データ送受信装置の制御方法、プログラム、及び記録媒体を提供することが出来る。
【図面の簡単な説明】
【図１】データ送受信装置を示す図
【図２】オリジナルコンテンツの入力制御動作のフローチャート
【図３】コンテンツの送信制御動作のフローチャート
【図４】コンテンツの受信制御フローチャート
【図５】コンテンツの受信完了表示制御フローチャート
【図６】コンテンツ操作の制御動作のフローチャート
【図７】コンテンツ受信表示兼操作部の第１の模式図
【図８】コンテンツ受信表示兼操作部の第２の模式図
【符号の説明】
１００  データ送信装置
１０１、２０１  ハードディスク装置
１０２、２０２  ハードディスク制御手段
１０３  コンテンツ入力手段
１０４  コンテンツ管理手段
１０５  コンテンツ送信制御手段
１０６、２０３  データ送受信手段
１０７、２０６  表示手段
１０８、２０７  システム制御手段
２００  データ受信再生装置
２０４  コンテンツ受信制御手段
２０５  コンテンツ受信表示兼操作部
３００  ネットワーク
４００  コンテンツ提供装置
５００  テレビ
【図１】
2004364087.tif 000003
【図２】
2004364087.tif 000004
【図３】
2004364087.tif 000005
【図４】
2004364087.tif 000006
【図５】
2004364087.tif 000007
【図６】
2004364087.tif 000008
【図７】
2004364087.tif 000009
【図８】
2004364087.tif 000010